(57)【要約】      （修正有）【課題】一体型発光部材を有する発光機能付き傘であって、特に、視界不良の夜間に使用する傘に用いられ、美観を高める装飾性用途にも用いることができる。【解決手段】発光部材を小型軽量化し、光源の設計の自由度を高めるために、ＬＥＤ発光素子を受骨固定用摺動リング２、親骨固定台３、ハンドル１４などの傘の部材の表面に設たので、高輝度のＬＥＤ発光素子の性能をより十分に発揮することができ、ＬＥＤ発光素子の数と投射角度の設計の自由度が得られ、半透明の傘布に光を充分に照射することができる。【選択図】図１
2011229913.tif 000002
【特許請求の範囲】
【請求項１】
光を傘布内面に投射するとともに使用者前方の路面を照明することができる発光機能付き傘であって、
傘布、中軸、板ばね、ボタンスイッチ、電源線、ハンドル、電源、石突、親骨、受骨、受骨固定用摺動リング組立体、親骨固定台組立体及びハンドル部発光組立体を含み、
前記受骨固定用摺動リング組立体は、ベース、摺動リングＬＥＤ組立体、電気絶縁性導線、複数の摺動リング接続点及び透明パッケージを有し、
前記ベースは、高い放熱性質を持つ材料から構成されて放熱機能を有し、前記摺動リングＬＥＤ組立体及びその回路は、前記ベースのベース表面に設けられて前記透明パッケージで保護され、前記ベース表面は、直径の異なる複数の環状面を含み、前記環状面のうちの摺動リング上部環状面は、前記摺動リングＬＥＤ組立体と前記電気絶縁性導線とを有し、前記環状面のうちの摺動リング中部環状面は、前記受骨が取り付けられるとともに放熱機能のための複数の溝を備え、前記環状面のうちの摺動リング下部環状面及び摺動リング把持部環状面は、補助的な放熱機能を有し、
前記摺動リングＬＥＤ組立体は、直列及び並列で組み合わされた複数のＬＥＤ発光素子と、回路とを有し、該回路の２つの端部は、固定台接続点との接続により回路作動スイッチを構成する前記摺動リング接続点に接続され、前記受骨固定用摺動リング組立体が前記中軸を上下にスライドすることによって前記傘が開閉し、前記回路が導通した時に前記ＬＥＤ発光素子の光が前記傘布内面に投射され、
前記親骨固定台組立体は、ベース、固定台ＬＥＤ組立体、電気絶縁性導線、複数の固定台接続点及び透明パッケージを有し、
前記ベースは、高い放熱性質を持つ材料から構成されて放熱機能を有し、前記ベースのベース表面は、直径の異なる複数の環状面を含み、前記固定台ＬＥＤ組立体及びその回路は、前記環状面のうちの固定台下部環状面に設けられて前記透明パッケージで保護され、前記環状面のうちの固定台中部環状面は、前記傘布が取り付けられる前記親骨を取り付けるための複数の溝を備え、この複数の溝は放熱機能を有し、
前記固定台ＬＥＤ組立体は、直列及び並列で組み合わされた複数のＬＥＤ発光素子と、回路とを有し、該回路の２つの端部は、一方が前記摺動リング接続点との接続により前記回路作動スイッチを構成する前記固定台接続点に、他方が前記電源線に接続された固定台電源線接続点に接続され、前記回路が導通すると前記ＬＥＤ発光素子の光が前記傘布内面に投射され、
前記ハンドル部発光組立体は、ベース、ＬＥＤ組立体、電気絶縁性導線、回路固定接続点及び透明パッケージを有し、
前記ベースは、高い放熱性質を持つ材料から構成されて放熱機能を有し、前記ベースのベース表面は、直径の異なる複数の環状面を含み、前記環状面のうちの上部環状面は、前記ハンドルに接続され、前記環状面のうちの中部環状面は放熱機能を有する複数の放熱フィンを備え、前記環状面のうちの下部環状面は、前記ＬＥＤ組立体と前記電気絶縁性導線とを有し、
前記ＬＥＤ組立体は、直列又は並列の複数のＬＥＤ発光素子と、回路とを有し、該回路の２つの端部は、前記電源線に接続された前記回路固定接続点に接続され、前記回路が導通した時に前記ＬＥＤ発光素子により使用者の前方の路面を照明することができ、
前記回路作動スイッチは、前記傘を開くと、前記摺動リング接続点と前記固定台接続点とが接触してすべての前記回路が閉回路となり、前記ボタンスイッチを閉じた時に前記回路が導通し、前記回路上の前記ＬＥＤ発光素子が光を発して前記傘布内面に投射するとともに使用者前方の路面を照明し、前記傘を閉じると、自然と前記回路作動スイッチが不通になり電源が切られることを特徴とする発光機能付き傘。
【請求項２】
前記ＬＥＤ発光素子が、前記受骨固定用摺動リング組立体の異なる摺動リング表面に配置され、前記ベース上の複数の孔又は溝を介して導線で互いに接続される請求項１に記載の発光機能付き傘。
【請求項３】
前記受骨固定用摺動リング組立体、前記親骨固定台組立体及び前記ハンドル部発光組立体の前記ベースの複数の前記環状面の形状が、前記ＬＥＤ発光素子の光投射方向に応じて平面、斜面、円柱面、円錐面又は円弧曲面等である請求項１に記載の発光機能付き傘。
【請求項４】
前記受骨固定用摺動リング組立体、前記親骨固定台組立体及び前記ハンドル部発光組立体の前記回路が、弾性を有する銅片導体構造によって、前記摺動リング接続点、前記固定台接続点、前記固定台電源線接続点及び前記回路固定接続点の接触での高い導電性を確保することを特徴とする請求項1に記載の発光機能付き傘。
【請求項５】
前記親骨固定台組立体の前記固定台ＬＥＤ組立体の前記回路の２つの端部が、一方は前記固定台接続点に、他方は前記固定台電源線接続点に接続され、該固定台電源線接続点が前記傘内部の電源又は外部電源に接続することで、前記ボタンスイッチにより回路の通電又は不通を制御する閉回路を構成する請求項1に記載の発光機能付き傘。
【請求項６】
前記受骨固定用摺動リング組立体の前記摺動リングＬＥＤ組立体の前記回路の２つの端部が、一方は前記摺動リング接続点に、他方は前記摺動リング接続点を介して前記固定台電源線接続点に接続し、該固定台電源線接続点が前記傘内部の電源又は外部電源に接続することで、前記ボタンスイッチにより回路の通電又は不通を制御する閉回路を構成する請求項1に記載の発光機能付き傘。
【請求項７】
前記回路作動スイッチが、前記受骨固定用摺動リング組立体の前記摺動リング接続点及び前記親骨固定台組立体の前記固定台接続点により構成され、前記傘を開いた状態ではこれらの接続点の接触により閉回路を構成でき、傘を閉じると前記回路作動スイッチが自然と不通となることで、前記傘の前記ＬＥＤ発光素子を制御する請求項1に記載の発光機能付き傘。
【請求項８】
光を傘布上方、傘布内面に投射するとともに使用者前方の路面を照明することができる発光機能付き傘であって、
傘布、中軸、板ばね、ボタンスイッチ、電源線、ハンドル、電源、親骨、受骨、受骨固定用摺動リング組立体、親骨固定台組立体及びハンドル部発光組立体を含み、
前記受骨固定用摺動リング組立体は、ベース、摺動リングＬＥＤ組立体、電気絶縁性導線、複数の摺動リング接続点及び透明パッケージを有し、
前記ベースは、高い放熱性質を持つ材料から構成されて放熱機能を有し、前記摺動リングＬＥＤ組立体及びその回路は、前記ベースのベース表面に設けられて前記透明パッケージで保護され、前記ベース表面は、直径の異なる複数の環状面を含み、前記環状面のうちの摺動リング中部環状面は、前記受骨が取り付けられるとともに放熱機能のための複数の溝を備え、前記環状面のうちの摺動リング下部環状面及び摺動リング把持部環状面は、補助的な放熱機能を有し、前記環状面のうちの摺動リング上部環状面は、前記摺動リングＬＥＤ組立体と前記電気絶縁性導線とを有し、
前記摺動リングＬＥＤ組立体は、直列及び並列の複数のＬＥＤ発光素子と、回路とを有し、前記回路の２つの端部は、固定台接続点との接続により回路作動スイッチを構成する前記摺動リング接続点に接続され、前記受骨固定用摺動リング組立体が前記中軸を上下にスライドすることによって前記傘が開閉し、
前記親骨固定台組立体は、ベース、固定台ＬＥＤ組立体、電気絶縁性導線、複数の固定台接続点及び透明パッケージを有し、
前記ベースは、高い放熱性質を持つ材料から構成されて放熱機能を有し、前記ベースのベース表面は、直径の異なる複数の環状面を有し、前記ベースは、前記傘布の中央を貫通する上向きの延伸部を有し、前記延伸部は、前記環状面のうちの固定台上部環状面をより高くするとともに固定台先端部環状面を別に備えることで、前記親骨固定台組立体が石突の代わりとして石突と同様の機能を有するようになり、前記環状面のうちの固定台中部環状面は、前記傘布が取り付けられる前記親骨を取り付けるための複数の溝を備え、この複数の溝は放熱機能を有し、前記固定台ＬＥＤ組立体と前記電気絶縁性導線とを前記傘布下方の前記環状面のうちの固定台下部環状面及び前記延伸部の前記固定台先端部環状面に有し、
前記固定台ＬＥＤ組立体は、直列及び並列の複数のＬＥＤ発光素子と、回路とを有し、前記ＬＥＤ発光素子は、異なる前記環状面に配置されるとともに前記ベース上の複数の孔又は溝を介して導線で互いに接続され、該回路の２つの端部は、一方が前記摺動リング接続点との接続により前記回路作動スイッチを構成する前記固定台接続点に、他方が前記電源線に接続された固定台電源線接続点に接続され、
前記ハンドル部発光組立体は、ベース、ＬＥＤ組立体、電気絶縁性導線、回路固定接続点及び透明パッケージを有し、
前記ベースは、高い放熱性質を持つ材料から構成されて放熱機能を有し、前記ベースのベース表面は、直径の異なる複数の環状面を有し、前記環状面のうちの上部環状面は前記ハンドルに接続され、前記環状面のうちの中部環状面は放熱機能を有する複数の放熱フィンを備え、前記環状面のうちの下部環状面は、前記ＬＥＤ組立体と前記電気絶縁性導線とを有し、
前記ＬＥＤ組立体は、直列又は並列の複数のＬＥＤ発光素子と、回路とを有し、該回路の２つの端部は、前記電源線に接続された前記回路固定接続点に接続され、前記回路が導通した時に前記ＬＥＤ発光素子により使用者の前方の路面を照明することができ、
前記回路作動スイッチは、前記傘を開くと、前記摺動リング接続点と前記固定台接続点とが接触してすべての前記回路が閉回路となり、前記ボタンスイッチを閉じた時に前記回路が導通して、前記ＬＥＤ発光素子が光を発して前記傘布内面に投射し、前記傘を閉じると、自然と前記回路作動スイッチが不通になり電源が切られることを特徴とする発光機能付き傘。
【請求項９】
前記ＬＥＤ発光素子が、前記受骨固定用摺動リング組立体の異なる摺動リング表面に配置され、前記ベース上の複数の孔又は溝を介して導線で互いに接続される請求項８に記載の発光機能付き傘。
【請求項１０】
前記受骨固定用摺動リング組立体、前記親骨固定台組立体及び前記ハンドル部発光組立体の前記ベースの複数の前記環状面の形状が、前記ＬＥＤ発光素子の光投射方向に応じて平面、斜面、円柱面、円錐面又は円弧曲面等である請求項８に記載の発光機能付き傘。
【請求項１１】
前記受骨固定用摺動リング組立体、前記親骨固定台組立体及び前記ハンドル部発光組立体の前記回路が、弾性を有する銅片導体構造によって、前記摺動リング接続点、前記固定台接続点、前記固定台電源線接続点及び前記回路固定接続点の接触での高い導電性を確保することを特徴とする請求項８に記載の発光機能付き傘。
【請求項１２】
前記親骨固定台組立体の前記固定台ＬＥＤ組立体の前記回路の２つの端部が、一方は前記固定台接続点に、他方は前記固定台電源線接続点に接続され、該固定台電源線接続点が前記傘内部の電源又は外部電源に接続することで、前記ボタンスイッチにより回路の通電又は不通を制御する閉回路を構成する請求項８に記載の発光機能付き傘。
【請求項１３】
前記受骨固定用摺動リング組立体の前記摺動リングＬＥＤ組立体の前記回路の２つの端部が、一方は前記摺動リング接続点に、他方は前記摺動リング接続点を介して前記固定台電源線接続点に接続し、該固定台電源線接続点が前記傘内部の電源又は外部電源に接続することで、前記ボタンスイッチにより回路の通電又は不通を制御する閉回路を構成する請求項８に記載の発光機能付き傘。
【請求項１４】
前記回路作動スイッチが、前記受骨固定用摺動リング組立体の前記摺動リング接続点及び前記親骨固定台組立体の前記固定台接続点により構成され、前記傘を開いた状態ではこれらの接続点の接触により閉回路を構成でき、傘を閉じると前記回路作動スイッチが自然と不通となることで、前記傘の前記ＬＥＤ発光素子を制御する請求項８に記載の発光機能付き傘。
【請求項１５】
前記受骨固定用摺動リング組立体及び前記親骨固定台組立体は、前記中軸上で直接に接触することなく離れており、この間に前記中軸上をスライド可能な中間リング組立体を備え、該中間リング組立体の環状面は、前記受骨固定用摺動リング組立体上の前記回路に代わる回路導線及びその回路接続点を有し、前記傘を開く時には、前記中間リング組立体を前記中軸に沿って押し上げ、前記板ばねを用いて前記回路接続点が前記親骨固定台組立体の前記固定台接続点と直接に接触するよう付勢して閉回路を形成し、前記傘を閉じる時には、板ばねを弛め、前記中間リング組立体を引き下ろして前記閉回路が開回路となる請求項８に記載の発光機能付き傘。
【請求項１６】
前記中間リング組立体のベースは、高い放熱性質を持つ材料から構成され、その環状面に回路及び前記回路接続点を設置するとともにそれを保護する保護パッケージを備える請求項１５に記載の発光機能付き傘。
【請求項１７】
光を傘布内面に投射するとともに使用者周辺の地面及び前方の路面を照明することができる発光機能付き傘であって、
傘布、中軸、板ばね、ボタンスイッチ、電源線、ハンドル、電源、石突、親骨、受骨、受骨固定用摺動リング組立体、親骨固定台組立体及びハンドル部発光組立体を含み、
前記受骨固定用摺動リング組立体は、ベース、摺動リングＬＥＤ組立体、電気絶縁性導線、複数の摺動リング接続点及び透明パッケージを有し、
前記ベースは、高い放熱性質を持つ材料から構成されて放熱機能を有し、前記摺動リングＬＥＤ組立体及びその回路は、前記ベースのベース表面に設けられて前記透明パッケージで保護され、前記ベース表面は、直径の異なる複数の環状面を有し、前記環状面のうちの摺動リング中部環状面は、前記受骨が取り付けられるとともに放熱機能のための複数の溝を備え、前記環状面のうちの摺動リング把持部環状面は、補助的な放熱機能を有し、前記環状面のうちの摺動リング上部環状面及び摺動リング下部環状面は、前記摺動リングＬＥＤ組立体及び前記電気絶縁性導線を有し、
前記摺動リングＬＥＤ組立体は、直列及び並列の複数のＬＥＤ発光素子と、回路とを有し、前記ＬＥＤ発光素子は、異なる前記環状面に配置されるとともに前記ベース上の複数の孔又は溝を介して導線で互いに接続され、該回路の２つの端部は、固定台接続点との接続により回路作動スイッチを構成する前記摺動リング接続点に接続され、前記受骨固定用摺動リング組立体が前記中軸を上下にスライドすることによって前記傘が開閉し、
前記親骨固定台組立体は、ベース、固定台ＬＥＤ組立体、電気絶縁性導線、複数の固定台接続点及び透明パッケージを有し、
前記ベースは、高い放熱性質を持つ材料から構成されて放熱機能を有し、前記固定台ＬＥＤ組立体及びその回路は、前記傘布下の前記ベースのベース表面に設けられて前記透明パッケージで保護され、前記ベース表面は、直径の異なる複数の環状面を有し、前記環状面のうちの固定台中部環状面は、前記傘布が取り付けられる前記親骨を取り付けるための複数の溝を備え、この複数の溝は放熱機能を有し、前記傘布下方の前記環状面のうちの固定台下部環状面は、前記固定台ＬＥＤ組立体と前記電気絶縁性導線とを有し、
前記固定台ＬＥＤ組立体は、直列及び並列の複数のＬＥＤ発光素子と、回路とを有し、該回路の２つの端部は、一方が前記摺動リング接続点との接続により前記回路作動スイッチを構成する前記固定台接続点に、他方が前記電源線に接続された固定台電源線接続点に接続され、
前記ハンドル部発光組立体は、ベース、ＬＥＤ組立体、電気絶縁性導線、回路固定接続点及び透明パッケージを有し、
前記ベースは、高い放熱性質を持つ材料から構成されて放熱機能を有し、前記ベースのベース表面は、直径の異なる複数の環状面を有し、前記環状面のうちの上部環状面は前記ハンドルに接続され、前記環状面のうちの中部環状面は放熱機能を有する複数の放熱フィンを備え、前記環状面のうちの下部環状面は、前記ＬＥＤ組立体と前記電気絶縁性導線とを有し、
前記ＬＥＤ組立体は、直列又は並列の複数のＬＥＤ発光素子と、回路とを有し、該回路の２つの端部は、前記電源線に接続された前記回路固定接続点に接続され、前記回路が導通した時に前記ＬＥＤ発光素子により使用者前方の路面を照明することができ、
前記回路作動スイッチは、前記傘を開くと、前記摺動リング接続点と前記固定台接続点とが接触してすべての前記回路が閉回路となり、前記ボタンスイッチを閉じた時に前記回路が導通して、前記ＬＥＤ発光素子が光を発して前記傘布内面に投射し、前記傘を閉じると、自然と前記回路作動スイッチが不通になり電源が切られることを特徴とする発光機能付き傘。
【請求項１８】
前記ＬＥＤ発光素子が、前記受骨固定用摺動リング組立体の異なる摺動リング表面に配置され、前記ベース上の複数の孔又は溝を介して導線で互いに接続される請求項１７に記載の発光機能付き傘。
【請求項１９】
前記受骨固定用摺動リング組立体、前記親骨固定台組立体及び前記ハンドル部発光組立体の前記ベースの複数の前記環状面の形状が、前記ＬＥＤ発光素子の光投射方向に応じて平面、斜面、円柱面、円錐面又は円弧曲面等である請求項１７に記載の発光機能付き傘。
【請求項２０】
前記受骨固定用摺動リング組立体、前記親骨固定台組立体及び前記ハンドル部発光組立体の前記回路が、弾性を有する銅片導体構造によって、前記摺動リング接続点、前記固定台接続点、前記固定台電源線接続点及び前記回路固定接続点の接触での高い導電性を確保することを特徴とする請求項１７に記載の発光機能付き傘。
【請求項２１】
前記親骨固定台組立体の前記固定台ＬＥＤ組立体の前記回路の２つの端部が、一方は前記固定台接続点に、他方は前記固定台電源線接続点に接続され、該固定台電源線接続点が前記傘内部の電源又は外部電源に接続することで、前記ボタンスイッチにより回路の通電又は不通を制御する閉回路を構成する請求項１７に記載の発光機能付き傘。
【請求項２２】
前記受骨固定用摺動リング組立体の前記摺動リングＬＥＤ組立体の前記回路の２つの端部が、一方は前記摺動リング接続点に、他方は前記摺動リング接続点を介して前記固定台電源線接続点に接続し、該固定台電源線接続点が前記傘内部の電源又は外部電源に接続することで、前記ボタンスイッチにより回路の通電又は不通を制御する閉回路を構成する請求項１７に記載の発光機能付き傘。
【請求項２３】
前記回路作動スイッチが、前記受骨固定用摺動リング組立体の前記摺動リング接続点及び前記親骨固定台組立体の前記固定台接続点により構成され、前記傘を開いた状態ではこれらの接続点の接触により閉回路を構成でき、傘を閉じると前記回路作動スイッチが自然と不通となることで、前記傘の前記ＬＥＤ発光素子を制御する請求項１７に記載の発光機能付き傘。
【請求項２４】
前記受骨固定用摺動リング組立体及び前記親骨固定台組立体は、前記中軸上で直接に接触することなく離れており、この間の前記中軸上に中間リング組立体が固定して備えられ、該中間リング組立体の環状面に、前記親骨固定台組立体上の前記回路に代わる２つの回路接続点を有し、該回路接続点のそれぞれに前記電源線に接続された電源線接続点を接続し、前記回路接続点を前記受骨固定用摺動リング組立体の前記摺動リング接続点に接続することで電気回路を形成し、前記傘を開く時には、使用者は、前記受骨固定用摺動リング組立体を前記中軸に沿って押し上げ、前記板ばねによって前記摺動リング接続点を前記中間リング組立体の前記回路接続点と直接に接触するよう付勢して閉回路を形成し、前記傘を閉じる時には、板ばねを弛め、前記受骨固定用摺動リング組立体を引き下ろして前記閉回路が開回路となる請求項１７に記載の発光機能付き傘。
【請求項２５】
中間リング組立体のベースはいずれも高い放熱性質を持つ材料から構成され、その環状面に回路及び前記回路接続点を設置するとともにそれを保護する保護パッケージを備える請求項２４に記載の発光機能付き傘。
【請求項２６】
光を傘布内面に投射することができる発光機能付き傘であって、
傘布、中軸、板ばね、電源線、ハンドル、電池、石突、親骨、受骨、受骨固定用摺動リング組立体及び親骨固定台組立体を含み、
前記受骨固定用摺動リング組立体は、ベース、摺動リングＬＥＤ組立体、電気絶縁性導線、複数の摺動リング接続点及び透明パッケージを有し、
前記ベースは、高い放熱性質を持つ材料から構成されて放熱機能を有し、前記摺動リングＬＥＤ組立体及びその回路は、前記ベースのベース表面に設けられて前記透明パッケージで保護され、前記ベース表面は、直径の異なる複数の環状面を有し、前記環状面のうちの摺動リング上部環状面は、前記摺動リングＬＥＤ組立体と前記電気絶縁性導線とを有し、前記環状面のうちの摺動リング中部環状面は、前記受骨が取り付けられるとともに放熱機能のための複数の溝を備え、前記環状面のうちの摺動リング下部環状面及び摺動リング把持部環状面は、補助的な放熱機能を有し、
前記摺動リングＬＥＤ組立体は、直列及び並列で組み合わされた複数のＬＥＤ発光素子と、回路とを有し、該回路の２つの端部は、固定台接続点との接続により回路作動スイッチを構成する前記摺動リング接続点に接続され、前記受骨固定用摺動リング組立体が前記中軸を上下にスライドすることによって前記傘が開閉し、前記回路が導通した時に前記ＬＥＤ発光素子の光が前記傘布内面に投射され、
前記親骨固定台組立体は、ベース、固定台ＬＥＤ組立体、電気絶縁性導線、複数の固定台接続点及び透明パッケージを有し、
前記ベースは、高い放熱性質を持つ材料から構成されて放熱機能を有し、前記ベースのベース表面は直径の異なる複数の環状面を有し、前記親骨固定台組立体を前記中軸の先端に固定し、上方に延伸する前記環状面である固定台上部環状面が前記傘布の中央孔を貫通して傘布固定カバーと結合して密封することで、雨が前記傘内部に流入することがなく、内部に前記電池、電源線及び電池ホルダが取り付けられる中空の石突を、前記親骨固定台組立体の上向きの延伸部の中空の開口孔内に取り付け、前記固定台ＬＥＤ組立体及びその回路は、前記環状面のうちの固定台下部環状面に設けられて前記透明パッケージで保護され、前記環状面のうちの固定台中部環状面は、前記傘布が取り付けられる前記親骨を取り付けるための複数の溝を備え、この複数の溝は放熱機能を有し、
前記固定台ＬＥＤ組立体は、直列及び並列で組み合わされた複数のＬＥＤ発光素子と、回路とを有し、該回路の２つの端部は、一方が前記摺動リング接続点との接続により前記回路作動スイッチを構成する前記固定台接続点に、他方が前記電源線に接続された固定台電源線接続点に接続され、前記回路が導通すると前記ＬＥＤ発光素子の光が前記傘布内面に投射され、
前記板ばねは、その一端が弾性的に突出するように前記中軸内部に設けられ、前記傘を開く際に前記受骨固定用摺動リング組立体を開回路位置又は閉回路位置に位置決めする機能を有し、前記受骨固定用摺動リング組立体がその摺動リングばね溝で前記開回路位置に位置決めされている時は、前記回路作動スイッチは開回路状態に維持され、前記受骨固定用摺動リング組立体が前記摺動リングばね溝で前記閉回路位置に位置決めされている時は、前記回路作動スイッチは閉回路状態に維持され、
前記回路作動スイッチは、前記受骨固定用摺動リング組立体の前記摺動リング接続点と前記親骨固定台組立体の前記固定台接続点とにより構成され、傘が開いた状態にある時は、前記板ばねによる前記受骨固定用摺動リング組立体の前記開回路位置又は前記閉回路位置への位置決めにより回路を開回路又は閉回路にすることを決定して前記傘上の前記ＬＥＤ発光素子を制御することができ、前記傘を閉じると、自然と回路作動スイッチが不通となり、
前記石突は、前記親骨固定台組立体の上向きの前記延伸部の中空の環状面の開口孔内に取り付けられ、その内部は前記電池、電源線及び電池ホルダを取り付けるために用いられ、その内部に前記電池を固定するためのばねを設置することを特徴とする発光機能付き傘。
【請求項２７】
前記ＬＥＤ発光素子が、前記受骨固定用摺動リング組立体の異なる摺動リング表面に配置され、前記ベース上の複数の孔又は溝を介して導線で互いに接続される請求項２６に記載の発光機能付き傘。
【請求項２８】
前記受骨固定用摺動リング組立体及び前記親骨固定台組立体の前記ベースの複数の前記環状面の形状が、前記ＬＥＤ発光素子の光投射方向に応じて平面、斜面、円柱面、円錐面又は円弧曲面等である請求項２６に記載の発光機能付き傘。
【請求項２９】
前記受骨固定用摺動リング組立体及び前記親骨固定台組立体の前記回路が、弾性を有する銅片導体構造によって、前記摺動リング接続点、前記固定台接続点及び前記固定台電源線接続点の接触での高い導電性を確保することを特徴とする請求項２６に記載の発光機能付き傘。
【請求項３０】
前記親骨固定台組立体の前記固定台ＬＥＤ組立体の前記回路の２つの端部が、一方は前記固定台接続点に、他方は前記固定台電源線接続点に接続され、該固定台電源線接続点が前記傘内部の前記電池又は外部電源に接続することで、ボタンスイッチにより回路の通電又は不通を制御する閉回路を構成する請求項２６に記載の発光機能付き傘。
【請求項３１】
前記受骨固定用摺動リング組立体の前記摺動リングＬＥＤ組立体の前記回路の２つの端部が、一方は前記摺動リング接続点に、他方は前記摺動リング接続点を介して前記固定台電源線接続点に接続し、該固定台電源線接続点が前記傘内部の前記電池又は外部電源に接続することで、ボタンスイッチにより回路の通電又は不通を制御する閉回路を構成する請求項２６に記載の発光機能付き傘。
【請求項３２】
前記回路作動スイッチが、前記受骨固定用摺動リング組立体の前記摺動リング接続点及び前記親骨固定台組立体の前記固定台接続点により構成され、前記傘を開いた状態ではこれらの接続点の接触により閉回路を構成でき、前記傘を閉じると前記回路作動スイッチが自然と不通となることで、前記傘の前記ＬＥＤ発光素子を制御する請求項２６に記載の発光機能付き傘。
【請求項３３】
発光機能付き傘であって、
傘布、中軸、板ばね、電源線、ハンドル、電池、石突、親骨、受骨、受骨固定用摺動リング組立体、親骨固定台組立体を含み、前記受骨固定用摺動リング組立体の位置決めによって前記傘の回路の開閉を行うことができ、
前記板ばねは、その一端が弾性的に突出するように前記中軸内部に設けられ、前記受骨固定用摺動リング組立体の前記板ばねによる位置決めを兼ねた固定により、前記傘を開くことができるとともに前記位置決めによる開回路位置又は閉回路位置の回路開閉補助機能を有し、前記受骨固定用摺動リング組立体がその摺動リングばね溝で前記開回路位置に位置決めされている時は、前記回路作動スイッチは開回路状態に維持され、前記受骨固定用摺動リング組立体が前記摺動リングばね溝で前記閉回路位置に位置決めされている時は、前記回路作動スイッチは閉回路状態に維持され、
前記回路作動スイッチは、前記受骨固定用摺動リング組立体の前記摺動リング接続点と前記親骨固定台組立体の前記固定台接続点とにより構成され、前記傘が開いた状態にある時は、前記板ばねによる前記受骨固定用摺動リング組立体の前記開回路位置又は前記閉回路位置への位置決めにより前記回路を開回路又は閉回路にすることを決定して前記傘上の前記ＬＥＤ発光素子を制御することができ、前記傘を閉じると、自然と前記回路作動スイッチが不通となることを特徴とする発光機能付き傘。
【請求項３４】
一体型発光部材を用いて傘の発光機能を強化する発光機能付き傘であって、
前記一体型発光部材は、受骨固定用摺動リング組立体、親骨固定台組立体、中間リング組立体及びハンドル部発光組立体から選択されるとともに、ベース、ＬＥＤ組立体、電気絶縁性導線、複数の接続点及び透明パッケージを有し、
前記ベースは、高い放熱性質を持つ材料から構成されて放熱機能を有し、前記ＬＥＤ組立体及びその回路は、前記ベースのベース表面に設けられて前記透明パッケージで保護され、前記ベース表面は、直径の異なる複数の環状面を有し、複数の前記環状面は、直列及び並列の複数のＬＥＤ発光素子及び回路からなる前記ＬＥＤ組立体と前記電気絶縁性導線とを備え、
前記ＬＥＤ発光素子を異なる前記環状面に配置するとともに前記ベース上の複数の孔又は溝を介して導線で接続し、前記ＬＥＤ組立体の前記回路の２つの端部は、一方が電気接続点に、他方が電源線に接続される電源線接続点に接続され、回路ループは、２つの前記一体型発光部材の前記電気接続点の接触による回路作動スイッチを備えることを特徴とする発光機能付き傘。
【請求項３５】
前記一体型発光部材の前記回路ループは、前記傘の内部電源又は外部電源と直接に接続するとともにボタンスイッチで回路の通電又は不通を制御する独立した回路ループとして設計される請求項３４に記載の発光機能付き傘。
【請求項３６】
前記一体型発光部材の一つが、電池を収納する空間を有し、独立した前記ループ回路が前記電池と直接に接続するとともに、前記回路の通電又は不通を制御するボタンスイッチを有する請求項３４に記載の発光機能付き傘。
【請求項３７】
前記一体型発光部材を前記親骨固定台組立体とする場合に、内部に電池、該電池の電源線及び電池ホルダが取り付けられる中空の石突が、前記親骨固定台組立体の上向きの延伸部の中空の環状面開口孔内に取り付けられ、前記石突の内部に前記電池を固定するためのばねを備える請求項３４に記載の発光機能付き傘。
【請求項３８】
前記一体型発光部材を前記親骨固定台組立体とする場合に、前記回路の通電又は不通を制御するボタンスイッチを有し、かつ前記回路を独立したループとして設計する請求項３７に記載の発光機能付き傘。
【請求項３９】
前記一体型発光部材を前記ハンドル部発光組立体とする場合に、そのベースの形状を円柱形、Ｌ形又は湾曲円弧形とし、前記ベースをハンドルと一体又は別体とすることができる請求項３４に記載の発光機能付き傘。
【請求項４０】
前記一体型発光部材の前記ベースの複数の前記環状面の形状が、前記ＬＥＤ発光素子の光投射方向に応じて平面、斜面、円柱面、円錐面又は円弧曲面等である請求項３４に記載の発光機能付き傘。
【請求項４１】
前記一体型発光部材を前記親骨固定台組立体とする場合に、そのベースが、傘布の中央を貫通する上向きの延伸部を有し、該延伸部は、前記環状面のうちの上部環状面をより高くするとともに先端部環状面を別に備えることで、前記親骨固定台組立体が石突の代わりとして石突と同様の機能を有するようになり、前記ＬＥＤ組立体の前記ＬＥＤ発光素子を前記先端部環状面に備え、前記傘布上方の周囲の照明能力と警告機能を強化することができる請求項３４に記載の発光機能付き傘。
【請求項４２】
前記一体型発光素子の前記ＬＥＤ発光素子が、直径の異なる複数の前記環状面に配置され、前記ベース上の複数の孔又は溝を介して導線で互いに接続される請求項３４に記載の発光機能付き傘。
【請求項４３】
前記一体型発光素子の前記電気接続点を弾性を有する銅片導体構造にして、異なる２つの前記電気接続点の相互接触の高い導電性を確保する請求項３４に記載の発光機能付き傘。
【請求項４４】
前記回路作動スイッチが、２つの前記一体型発光素子の前記電気接続点により構成され、前記傘を開いた状態では前記電気接続点の接触により閉回路を形成でき、前記傘を閉じると前記回路作動スイッチが自然と不通となることで、前記傘の前記ＬＥＤ発光素子を制御する請求項３４に記載の発光機能付き傘。
【請求項４５】
前記一体型発光素子の前記ＬＥＤ発光素子が、直径の異なる複数の前記環状面に配置され、前記環状面の一部を１又は複数の放熱フィンとすることで放熱能力を高めることができる請求項３４に記載の発光機能付き傘。
【請求項４６】
前記一体型発光素子の前記透明パッケージが透明なカラーであり、それにより艶やかな色彩の効果を高めることができる請求項３４に記載の発光機能付き傘。
【発明の詳細な説明】
【技術分野】
【０００１】
本発明は、従来の傘の部材に代えて一体型発光部材を用いた傘構造の改良に関する。一体型発光部材は、例えば、受骨固定用摺動リング、親骨固定台及びハンドルなどの傘の部材とＬＥＤ発光素子とを統合的に一体にパッケージングしたものである。ＬＥＤ発光素子をこれらの部材の表面に設けることで、その全体構造を小型軽量化するとともに光源の設計上の自由度を非常に高めることができる。夜間に傘を使用する場合には、提灯のように照明及び警告を与える効果を兼ね備え、これは使用者が夜間に歩行する際の顕著な目印となるうえに、前方の路面を照らすこともできる。
【背景技術】
【０００２】
発光機能付き傘とは、傘に発光素子を設けたものを指し、使用者が夜間に歩行する際の安全性を高めるというその効果には既に長い歴史がある。特に、雨天時の夜間では、歩行者の安全は、視認しにくい路面の窪みや自動車ドライバーの視界不良に脅かされており、傘が照明及び警告機能を備えることができれば、このような問題は大幅に改善されることになる。そのため、１９３０年以降、この問題の解決を目標として、各種の解決手段を提案する多くの関連特許が公開されている。以下、このような関連特許の例を挙げる。
【０００３】
特許文献１「ｉｎｐｒｏｖｅｍｅｎｔｓ  ｉｎ  ｏｒ  ｒｅｌａｔｉｎｇ  ｔｏ  Ｕｍｂｒｅｌｌａ，ｏｒ  Ｗａｌｋｉｎｇ  Ｓｔｉｃｋ，ａｎｄ  ｔｈｅ  ｌｉｋｅ」（傘、杖などにおける改良、又はそれらに関連する改良）には、ハンドルの位置に、前方地面の照明及び前方の照明などの用途に用いる電球及び乾電池を設けて、照明及び安全な歩行の目的を達成することが記載されている。
【０００４】
特許文献２には、傘の石突にＬＥＤ装置を取り付け、傘布下方の中軸の上方とハンドル（握）に電池を取り付けることが記載されている。この特許では、使用者が夜間に傘をさして歩行する際に、車へ警告を与えるＬＥＤライトを有することで歩行者の安全を確保している。
【０００５】
特許文献３には、傘の石突及びリブに発光装置を加えるとともにハンドル下部に回転可能な懐中電灯を設け、電池をハンドルに設けたものが記載されている。この特許では、使用者が夜間に傘をさして歩行する際に車へ警告を与える発光装置を有することで歩行者の安全を確保するとともに、ハンドル下部の回転可能な懐中電灯で前方又は地面を照明することで歩行者の安全性を高めている。
【０００６】
特許文献４にも、同様に、傘の石突及びハンドルに発光装置を設けたものが記載されている。
【０００７】
特許文献５には、傘の中軸先端の側方に光源台を設けてライトを傘布内面に充分に投射し、光が当該内面において使用者の周囲下方に向けて反射されることで、その警告効果、及び路面に対する照明により使用者が歩行する際の安全性を高めることが記載されている。
【０００８】
特許文献６には、電池及びスイッチを有するＬＥＤ装置を石突に螺着した傘が記載されている。この特許では、使用者が夜間に傘をさして歩行する際、ＬＥＤライトによって歩行の安全を確保することができ、使用者が傘を閉じた時には懐中電灯として前方の路面を照明し歩行の安全性を高めることができる。
【０００９】
特許文献７には、傘の受骨摺動リングに受骨溝台を一体に設け、その上に複数の並列ＬＥＤ発光素子を実装するための溝孔を設け、そして、その装置には、使用者がＬＥＤライトのオンオフ操作を行うためのスイッチ及び電池が設けられることが記載されている。
【００１０】
特許文献８には、湾曲形ハンドルに電池及びＬＥＤライトを設けて車への警告と前方路面を照明する機能とを同時に与える傘が記載されている。この特許は、ＬＥＤライトを円弧形湾曲ハンドル内に取り付けて、前方と前方地面を同時に照明するとともに、透明カバーを用いてＬＥＤライトの光を透過させることで、照明及び警告の効果を達成している。
【００１１】
特許文献９は、傘の石突にＬＥＤ装置を設け、電池及びスイッチを傘布下方の中軸上端の内部に設けるものが記載されている。この特許では、使用者が夜間に傘をさして歩行する際に、スイッチでＬＥＤライトのオンオフ操作を行うことができる。
【先行技術文献】
【特許文献】
【００１２】
【特許文献１】英国特許出願公開第３３９０８２号明細書
【特許文献２】特開平２−２１５４０４号公報
【特許文献３】特開平３−５７４０３号公報
【特許文献４】中国実用新案公開第２２１７３２６号明細書
【特許文献５】米国特許出願公開第６０６８００６号明細書
【特許文献６】ドイツ特許出願公開第１００１７２７ａ号明細書
【特許文献７】台湾実用新案公開第Ｍ２５６７０６号明細書
【特許文献８】中国実用新案公開第２９２７７８０号明細書
【特許文献９】米国特許出願公開第２００７／０４７２２２号明細書
【発明の概要】
【発明が解決しようとする課題】
【００１３】
上記引例では、発光源は従来の電球から現代のＬＥＤライトまで様々であり、発光源の設置位置としては石突、中軸先端部及びハンドルなどである。これらは完全にパッケージングされたＬＥＤ光源を採り入れることで、全体としての発光効果が確かに大幅に向上し、使用者が夜間に歩行する際の安全性も向上している。これら特許の解決手段の多くは構造の改善に集中し、その方法の多くは、構造設計の変更によって別体の発光源を収納し、或いは発光源装置を付加する方法である。しかし、これらの解決手段には、高輝度ＬＥＤ光源及びそれに必要とされる放熱装置が欠落している。これは、傘の重量や部材の複雑性が相対的に増加するうえに、その照明効果は使用者の需要を本当に満足させることができないことを意味している。さらに、ＬＥＤライトの寿命が短くなるため、使用者における利便性や実用性にとっても不利である。従来技術の課題は、以下のとおりである。
課題１．構造設計を変更して別体の発光源を収納し、或いは装置を付加する構造設計では、傘の重量や部材の複雑性が増す。
課題２．別体の又は付加する発光源として完全にパッケージングされたＬＥＤ素子を採り入れると、ＬＥＤ素子の輝度、外形サイズが制限され、且つ放熱フィンの設計を考慮することもできなくなるため、往々にしてその構造が制限されて設計の自由度が低下し、使用者が十分に満足するような光源の投射を行うことができなくなる。また、回路に必要な導線についても考慮しなければならず、これによってもスペース上の制限が増すことになる。
課題３．完全にパッケージングされたＬＥＤ素子を使用し、その発光半導体素子の放熱基板も一緒にパッケージングして、電源に必要なリードピン及び接続点しか露出していない場合、高輝度ＬＥＤ光源で照明効果を高めるという解決方法を実現することはできなくなる。なぜなら、高輝度ＬＥＤ光源にとって、高い放熱能力をもつ放熱構造の設計は必須であり、温度が高すぎると、発光ＬＥＤ素子の透明パッケージにとって不利となり、材料の光透過率が低下するとともに発光ＬＥＤ素子の発光効率や寿命も低下し、最終的には使用者の要求に答えることができない輝度になってしまうためである。
【課題を解決するための手段】
【００１４】
本発明は、前記別体の又は付加する発光源の欠点に鑑みて研鑽を重ねた結果、一体型発光部材という解決手段を提供するものである。これは、ＬＥＤ発光素子の放熱基板をパッケージングすることなく露出させるとともに、部材の高放熱性ベースの表面に放熱基板を密着するように接着して、ＬＥＤ発光素子及び傘の部材を一体にまとめたものである。本発明で使用又は言及される電気素子は、必要とされる電気的絶縁性及び電気的安全性を有しており、一体にまとめられる部材としては、受骨固定用摺動リング、親骨固定台及びハンドルなどの部材がある。ＬＥＤ発光素子をこれらの部材表面に一体化すると、その全体構造を小型軽量化するとともに光源の設計の自由度を非常に高めることができる。特に、高い放熱能力をもつ傘部材を放熱フィンとして用いることで、高輝度ＬＥＤ発光素子に必要な高放熱性を満たすことができ、そして寿命も大幅に伸ばすことができる。また、使用するＬＥＤ発光素子が完全にはパッケージングされていない部材で、発光半導体部の一部のみをパッケージングした場合には、発光素子を更に小型化して複数個配置する設計がより容易となり、照明に対する要求に応じてＬＥＤ発光素子の配置を設計することも可能であり、各部材が、必要とされる輝度や色彩を有する発光性能を満たすことができる。このような、より自由度が高い光源設計は、光が傘布内面に充分に照射されるとともに半透明傘布を透過する時に外部に均一に投射できる点で優れており、夜間に傘を使用する場合には、提灯のように照明及び警告の効果を兼ね備え、使用者が夜間に歩行する際の顕著な目印となる。また、光源及び色彩が高い設計上の自由度を有する上述のようなパッケージング構造により、設計者が華やかなライトの色彩をデザインして、半透明傘布に投射される光によって美観性装飾の効果を奏することができる。
【００１５】
本発明の一体型発光部材、つまりＬＥＤ発光素子及び傘の部材を一体にまとめる解決手段を具体的に説明するために、４つの実施例を用いて本発明を具体的に説明する。本発明で使用又は言及する電気素子は、必要とされる電気的絶縁性及び電気的安全性を有するものである。
【図面の簡単な説明】
【００１６】
【図１】本発明の発光機能付き傘の第１の実施例の構造図である。
【図２】本発明で使用するＬＥＤ発光素子の構造図である。
【図３】本発明の第１の実施例の回路図である。
【図４（ａ）】本発明のハンドル部発光組立体の細部構造を示す図である。
【図４（ｂ）】本発明の別の構造のハンドル部発光組立体の細部構造を示す図である。
【図５】本発明の第１の実施例の細部構造を示す図である。
【図６】本発明の第１の実施例の受骨固定用摺動リング組立体の細部構造を示す図である。
【図７（ａ）】本発明の第１の実施例の受骨固定用摺動リング組立体の細部構造を示す立体図である。
【図７（ｂ）】本発明の第１の実施例の受骨固定用摺動リング組立体のベースの細部構造を示す立体図である。
【図８】本発明の第１の実施例の親骨固定台組立体の細部構造を示す図である。
【図９】本発明の第１の実施例の親骨固定台組立体の細部構造を示す立体図である。
【図１０（ａ）】本発明の発光機能付き傘の第２の実施例の構造図である。
【図１０（ｂ）】本発明の発光機能付き傘の第２の実施例の別の構造図であり、中間リング組立体と親骨固定台組立体とが直接に接触する構造を示す。
【図１１（ａ）】本発明の第２の実施例の回路図である。
【図１１（ｂ）】本発明の第２の実施例の別の回路図であり、中間リング組立体と親骨固定台組立体とが直接に接触する構造を示す。
【図１２（ａ）】本発明の第２の実施例の細部構造を示す図である。
【図１２（ｂ）】本発明の第２の実施例の別の細部構造を示す図であり、中間リング組立体と親骨固定台組立体とが直接に接触する構造を示す。
【図１３】本発明の第２の実施例の親骨固定台組立体の細部構造を示す立体図である。
【図１４】本発明の第２の実施例の受骨固定用摺動リング組立体の細部構造を示す立体図である。
【図１５（ａ）】本発明の発光機能付き傘の第３の実施例の構造図である。
【図１５（ｂ）】本発明の発光機能付き傘の第３の実施例の別の構造図であり、受骨固定用環状リング組立体と中間リング組立体とが直接に接触する構造を示す。
【図１６（ａ）】本発明の第３の実施例の回路図である。
【図１６（ｂ）】本発明の第３の実施例の別の回路図であり、受骨固定用環状リング組立体と中間リング組立体とが直接に接触する構造を示す。
【図１７（ａ）】本発明の第３の実施例の細部構造を示す図である。
【図１７（ｂ）】本発明の第３の実施例の別の細部構造を示す図であり、受骨固定用環状リング組立体と中間リング組立体とが直接に接触する構造を示す。
【図１８】本発明の第３の実施例の細部構造を示す立体図である。
【図１９】本発明の発光機能付き傘の第４の実施例の構造図である。
【図２０】本発明の第４の実施例の回路図である。
【図２１（ａ）】本発明の第４の実施例の細部構造を示す図であり、傘は開いているが、回路は開回路状態である状態を示す図である。
【図２１（ｂ）】本発明の第４の実施例の細部構造を示す図であり、傘を開き、かつ回路は閉回路状態で、ＬＥＤ発光素子が発光する状態を示す図である。
【発明を実施するための形態】
【００１７】
第１の実施例を図１から図９に示す。本実施例が最も詳細な説明である。
第２の実施例を図１０から図１４に示す。
第３の実施例を図１５から図１８に示す。
第４の実施例を図１９から図２１に示す。
【実施例１】
【００１８】
図１は、本発明の一体型発光部材を発光機能付き傘に適用した第１の実施例の構造図である。傘１は、傘布１０、中軸１１、板ばね１１１、ボタンスイッチ１２、電源線１３、ハンドル１４、電池１５、石突１６、親骨１７、受骨１８等の部材からなり、そのうち受骨固定用摺動リング組立体（下ろくろ）２、親骨固定台組立体（上ろくろ）３及びハンドル部発光組立体９の３つの部材が一体型発光部材である。前記傘の構造は、中軸１１に板ばね１１１、ボタンスイッチ１２を設け、中軸１１の中空部に電源線１３を配設し、中軸１１の先端部に石突１６を設置し、中軸１１の下端部にハンドル１４、電池１５及びハンドル部発光組立体９等の部材を設置する。中軸１１の上端部に、受骨固定用摺動リング組立体２、親骨固定台組立体３を設けるとともに、電源線１３又は発光体の導線を貫通させて接続するための穿孔（図示せず）を設ける。親骨１７と受骨１８とを互いに枢軸で連結し、それぞれを枢軸で親骨固定台組立体３又は受骨固定用摺動リング組立体２に固定し、傘布１０を親骨１７に固定する。中軸１１上を上下にスライドする受骨固定用摺動リング組立体２を介して傘を開閉することができる。傘を開くと、受骨固定用摺動リング組立体２が板ばね１１１によって係止されて、傘を開放状態に維持する。受骨固定用摺動リング組立体２及び親骨固定台組立体３は、一組の回路作動スイッチを形成しており、この時に、受骨固定用摺動リング組立体２及び親骨固定台組立体３上の回路接続点が互いに接触する。そして、ボタンスイッチ１２を閉じた状態にすると、回路が導通して回路上のＬＥＤ発光素子が光を発し、受骨固定用摺動リング組立体２及び親骨固定台組立体３のＬＥＤ発光素子が傘布１０の内面を照明し、ハンドル部発光組立体９のＬＥＤ発光素子が使用者前方の路面を照明する。また、傘を長時間にわたって固定位置で使用する場合には、電源を外部電源とすることができる。
【００１９】
図２は、本発明で使用するＬＥＤ発光素子の構造図である。ＬＥＤ発光素子４は、素子を実装するためのＬＥＤ基板４４、その上の透明パッケージ発光半導体４１、正負電極の電源接続点４２、４３を有し、ＬＥＤ基板底面４４１は傘部材のベースの外面に固定される。なお、本発明における電気素子は、必要とされる電気的絶縁性及び電気的安全性を有している。
【００２０】
図３は、本発明の第１の実施例の回路図であり、本回路図は、ＬＥＤ発光素子４の実装時に必要な電気回路を説明するものである。なお、本回路図上の電気素子は、必要とされる電気的絶縁性及び電気的安全性を有している。２芯の電源線１３は、電源線１３１、１３２からなり、これはボタンスイッチ１２、電池１５、受骨固定用摺動リング組立体２及び親骨固定台組立体３を接続する回路を形成する。ハンドル１４下方のハンドル部発光組立体９を接続するための電源線１３の分岐並列回路は、電源線１３３、１３４によって回路として接続される。電源線１３の分岐並列回路は、ハンドル１４のハンドル部発光組立体９を接続するための回路固定接続点９２１、９２２を有する。
【００２１】
摺動リングＬＥＤ組立体２１は、それぞれがＬＥＤ発光素子４を並列回路で接続してなる摺動リングＬＥＤ組立体２１１、２１２を直列に接続してなり、その間及び両端に、摺動リング導線２０１、２０２、２０３をそれぞれ接続する。摺動リング導線２０２の端部は摺動リング接続点２２であり、摺動リング導線２０１の端部は摺動リング接続点２３であり、それぞれが固定台接続点３２、３３に接続されて電気回路を形成する。
【００２２】
固定台ＬＥＤ組立体３１は、固定台導線３０１、３０３にＬＥＤ発光素子４をそれぞれ並列に接続してなる。固定台導線３０３の端部は、固定台接続点３３であり、固定台導線３０１の端部は、電源線１３１に接続された固定台電源線接続点３４１である。固定台導線３０２は独立した一本の導線で、その一端は電源線１３２に接続された固定台電源線接続点３４２に接続され、他端は固定台接続点３２に接続される。
【００２３】
傘を閉じた状態では、受骨固定用摺動リング組立体２は下方へスライドしハンドル１４の上方に固定されて、親骨固定台組立体３と離れて開回路状態となり、全てのＬＥＤ発光源は通電せずに発光しない。これに対し、傘を開く使用開始状態では、受骨固定用摺動リング組立体２が上方へスライドして中軸１１の板ばね１１１上方に固定されるとともに、固定台接続点３２、３３がそれぞれ摺動リング接続点２２、２３と緊密に接合して完全な回路（閉回路）を形成する。そして、ボタンスイッチ１２を閉じた状態にすると、全てのＬＥＤ発光素子に電流が流れて発光状態となる。
【００２４】
図４（ａ）は、本発明のハンドル部発光組立体９の細部構造を示す図である。ハンドル部発光組立体９は、一体型発光部材の一つであり、高い放熱性質を持つ軽金属合金又はエンジニアリングプラスチック材料からなる。その外表面は、ハンドル１４の下方に固定するためのスレッド付き上部表面９６１と、ＬＥＤ発光素子４の放熱面積を増やすための放熱フィン９４と、下部環状面９６２とに分けられる。下部環状面９６２は、ＬＥＤ組立体９１を実装するとともに、樹脂又はシリコンの透明パッケージ９５を固定して保護される。ＬＥＤ組立体９１の導線は、ベースの中央孔９７を通り、回路固定接続点９２１、９２２において電源線１３３、１３４と接続されてループ回路を形成する。また、本装置の放熱フィン９４は、必要な放熱性を満たすために複数であってもよい。図４（ｂ）は、本発明の別の構造のハンドル部発光組立体９の細部構造を示す。本実施例は、通常の円弧形湾曲ハンドルにハンドル部発光組立体９を実際に使用した例を、具体的に示すものである。
【００２５】
図５は、本発明の第１の実施例の細部構造を示す図である。図中の受骨固定用摺動リング組立体２及び親骨固定台組立体３は、どちらも本発明の一体型発光部材の実施例の一つであり、受骨固定用摺動リング組立体２及び親骨固定台組立体３のベースは、高い放熱材質の材料で構成されている。
【００２６】
受骨固定用摺動リング組立体２の摺動リング表面２６に複数の溝を設け、受骨固定ピン１８１で受骨１８を固定する。そして、摺動リング上部環状面２６４（図示せず）に、摺動リングＬＥＤ組立体２１を設けるとともに、これを摺動リングＬＥＤ組立体２１１と摺動リングＬＥＤ組立体２１２とに細分し、それぞれを摺動リング接続点２２、２３に接続する。摺動リングＬＥＤ組立体２１は、事前に組み立てられるか、或いはベース上で直接組み立てられ、その後、透明材質を用いて摺動リングＬＥＤ組立体パッケージ２５を完成させる。摺動リングＬＥＤ組立体２１の熱量は、高い熱伝導を有するベースを介して外部に伝達され、摺動リング表面２６及び複数の溝の表面を介して大気中に伝わるため、透明パッケージ発光半導体４１の温度を低下させることが可能となる。
【００２７】
親骨固定台組立体３の固定台表面３６に複数の溝を設け、親骨固定ピン１７１で親骨１７を固定する。そして、固定台下部環状面３６２（図示せず）に固定台ＬＥＤ組立体３１を設けるとともに、これを固定台接続点３２、３３に接続する。固定台ＬＥＤ組立体３１は、事前に組み立てられるか、或いはベース上で直接組み立てられ、その後、透明材質を用いて固定台ＬＥＤ組立体パッケージ３５を完成させる。また、固定台ＬＥＤ組立体３１を電源線１３１、１３２に接続する部分は、それぞれ固定台電源線接続点３４１、３４２を有し、このような接続を構成する回路が導線３０１、３０２により完成される。導線３０１、３０２は、ベースである中軸１１上の孔（図示せず）を貫通し、中軸１１の先端部においてそれぞれ電源線１３１、１３２とはんだ付けされて、固定台電源線接続点３４１、３４２が形成される。親骨固定台組立体３のベースは、良好な熱伝導係数を有するうえに、固定台表面３６とその溝も放熱能力を有しているので、固定台ＬＥＤ組立体３１の熱量はこれらの表面を介して放出されて、透明パッケージ発光半導体４１の温度が低下する。
【００２８】
中軸１１の先端は石突１６によって密封される。傘布１０は、親骨固定台組立体３を用いて固定されるとともに、傘布固定カバー１０１と石突１６とを組み合わせて密封することで、雨が傘内部に流入するのを防いでいる。
【００２９】
図６は、本発明の第１の実施例における骨固定用摺動リング組立体２の細部構造を示す図である。中軸１１を受骨固定用摺動リング組立体２の中軸孔２７に挿通することで、受骨固定用摺動リング組立体２が中軸１１上をスライド可能となる。摺動リング表面２６は、受骨固定用摺動リング組立体２のベースの外面であり、これは摺動リング下部環状面２６２、摺動リング中部環状面２６３、摺動リング上部環状面２６４及び摺動リング把持部環状面２６５に分けられる。摺動リング中部環状面２６３には、受骨１８の一端を収容するための環状溝２８、径方向溝２８１、２８２が設けられる。環状溝２８は、受骨固定ピン１８１を用いて受骨１８を固定する。ＬＥＤ組立体２１は、摺動リング上部環状面２６４に設けられる。ＬＥＤ組立体２１は、ＬＥＤ組立体２１１とＬＥＤ組立体２１２とに細分でき、そこにはＬＥＤ組立体２１１、２１２を接続するための導線２０１、２０２、２０３が設けられ、摺動リング接続点２２、２３に接続される。摺動リング中部環状面２６３は優れた放熱能力を有し、その溝の表面は放熱フィンの放熱能力を有する。また、摺動リング下部環状面２６２及び摺動リング把持部環状面２６５も放熱可能であるため、摺動リングＬＥＤ組立体２１の熱量は、これらの表面から放出されて、透明パッケージ発光半導体４１の温度が低下する。ＬＥＤ組立体２１１、２１２の発光素子は、環状面上に配置され、放たれる光は傘布内部の各方面を照明することができる。発光素子の数及び投射角度は、必要に応じて調整されることができる。
【００３０】
図７（ａ）は、本発明の第１の実施例における受骨固定用摺動リング組立体２の細部構造を示す立体図である。当該図は、実際の装置構造を具体的に示しており、特にＬＥＤ組立体２１１、２１２、導線２０１、２０２、２０３、摺動リング接続点２２、２３を具体的に示している。
【００３１】
図７（ｂ）は、本発明の第１の実施例における受骨固定用摺動リング組立体２のベースの細部構造を示す立体図である。当該図は、ＬＥＤ発光素子４の実装時に、そのＬＥＤ基板底面４４１を摺動リング上部環状面２６４のＬＥＤ基板接合面２６６に緊密に接着することで、ＬＥＤ基板４４を介して熱量を受骨固定用摺動リング組立体２のベースに充分に伝達し、ＬＥＤ発光素子４の温度を確実に低下させる目的を達成できることを示す。
【００３２】
図８は、本発明の第１の実施例における親骨固定台組立体３の細部構造を示す図である。導線３０１は、導線溝３８４及び導線孔３９２を経由し、導線３０２は、導線溝３８３及び導線孔３９３を経由して、それぞれ中軸孔３７中の固定台電源線接続点３４１、３４２に接続される。ＬＥＤ組立体３１上のＬＥＤ発光素子４の配置でも、接続点３２、３３の位置関係を同時に考慮する。
【００３３】
親骨固定台組立体３のベースの表面３６は、傘布固定カバー１０１を組み合わせて傘布１０を密閉する効果を達成するための上面３６１と、ＬＥＤ組立体３１を実装するための下部環状面３６２と、中部環状面３６３と、傘布１０の中央孔（図示せず）を貫通して傘布１０を固定するために用いられる上部環状面３６４とに分けられる。下部環状面３６２に、ＬＥＤ発光素子４を接続するための導線３０１、３０２、３０３を設けて、接続点３２、３３に接続する。中部環状面３６３には、環状溝３８、径方向溝３８１、３８２、導線溝３８３、３８４、導線孔３９２、３９３、及び中軸固定孔３９１を設ける。そのうち環状溝３８は、親骨固定ピン１７１を用いて親骨１７を固定する。径方向溝３８１、３８２は、親骨１７の一端を収納し、これによって傘に開閉機能を与える。さらに、これら溝の表面は、放熱フィンの放熱能力を有する。中軸固定孔３９１は、固定ピンを用いて親骨固定台組立体３を中軸１１の先端に固定するために用いられる。
【００３４】
図９は、本発明の第１の実施例における親骨固定台組立体３の細部構造を示す立体図である。この図は、ＬＥＤ発光素子４を環状面上に配置するとともに接続点３２、３３の相対位置を同時に考慮することで、投射される光が傘布内部の各方面を照明できる。発光素子の数及び投射角度は、必要に応じて調整されることができる。
【実施例２】
【００３５】
図１０（ａ）は、本発明の一体型発光部材を発光機能付き傘に適用した第２の実施例の構造図である。傘１は、傘布１０、中軸１１、板ばね１１１、ボタンスイッチ１２、電源線１３、ハンドル１４、電池１５、親骨１７、受骨１８、受骨固定用摺動リング組立体（下ろくろ）６、親骨固定台組立体（上ろくろ）５、ハンドル部発光組立体９等の部材からなる。中軸１１に板ばね１１１、ボタンスイッチ１２を設け、中軸１１の中空部に電源線１３を配設する。中軸１１の先端部は、親骨固定台組立体５から上方へ延伸し、傘布１０を貫通して石突を有する構造である。中軸１１の下端部には、ハンドル１４、電池１５及びハンドル部発光組立体９等の部材を設置する。中軸１１の上端部に、受骨固定用摺動リング組立体６、親骨固定台組立体５を設けるとともに、電源線１３又は発光体の導線を通して接続するための穿孔（図示せず）を設ける。親骨１７と受骨１８とを互いに枢軸で連結し、それぞれを枢軸で親骨固定台組立体５又は受骨固定用摺動リング組立体６に固定し、傘布１０を親骨１７に固定する。中軸１１上を上下にスライドする受骨固定用摺動リング組立体６を介して、傘を開閉することができる。
【００３６】
傘を開くと、受骨固定用摺動リング組立体６が板ばね１１１によって係止されて傘を開放状態に維持する。受骨固定用摺動リング組立体６及び親骨固定台組立体５は、回路作動スイッチを形成しており、この時に、受骨固定用摺動リング組立体６及び親骨固定台組立体５上の回路接続点が互いに接触する。そして、ボタンスイッチ１２を閉じた状態にすると回路が導通し、回路上のＬＥＤ発光素子が光を射出し、射出された光は傘布１０内部の各方面及び傘面上方の周囲の空間を照明することができる。発光素子の数及び投射角度は、必要に応じて調整されることができる。また、傘を長時間にわたって固定位置で使用する場合には、電源を外部電源とすることができる。
【００３７】
図１０（ｂ）は、本発明の一体型発光部材を発光機能付き傘に適用した、第２の実施例の別の構造図である。受骨固定用摺動リング組立体６及び親骨固定台組立体５は、中軸１１上で直接に接触することなく離れており、この間に中軸１１に沿って上下にスライド可能な中間リング組立体６９を設けている。傘を開く時、使用者は、中間リング組立体６９を押し上げ、板ばね１１３で中間リング組立体６９を親骨固定台組立体５と密接するように付勢する。中間リング組立体６９には、受骨固定用摺動リング組立体６の回路の代わりとなる回路及び接続点が設けられており、親骨固定台組立体５の接続点と直接に接触して完全な回路（閉回路）が形成される。傘を閉じる時には、板ばね１１３を弛め、中間リング組立体６９を引き下ろすと回路が開回路状態となる。
【００３８】
図１１（ａ）は、本発明の第２の実施例の回路図であり、本回路図は、発光素子と傘部材との関係を説明している。本回路図上の電気素子は、必要とされる電気的絶縁性及び電気的安全性を有している。２芯の電源線１３は、電源線１３１、１３２からなり、これはボタンスイッチ１２、電池１５、受骨固定用摺動リング組立体６及び親骨固定台組立体５を接続する回路を形成する。ハンドル１４下方のハンドル部発光組立体９を接続するための電源線１３の分岐並列回路は、電源線１３３、１３４によって回路として接続される。電源線１３の分岐並列回路は、ハンドル１４のハンドル部発光組立体９を接続するための回路固定接続点９２１、９２２を有する。
【００３９】
固定台ＬＥＤ組立体５１は、固定台ＬＥＤ組立体５１１、固定台ＬＥＤ組立体５１２、及び固定台ＬＥＤ組立体５１３を直列に接続してなり、その間及び両端に、固定台導線５０１、５０２、５０３、５０４をそれぞれ接続する。固定台導線５０１の端部は固定台接続点５２１であり、固定台導線５０２の端部は固定台接続線５２２であり、それぞれが摺動リング接続点６２１、固定台電源線接続点３４２に接続されてループ回路を形成する。固定台接続点５２３は、固定台電源線接続点３４１及び摺動リング接続点６２３に接続される独立した接続点である。
【００４０】
受骨固定用摺動リング組立体６は、独立した一本の導線である摺動リング導線６０１、及び摺動リング接続点６２１、６２３を有する。摺動リング接続点６２３は、固定台接続点５２３に接続され、摺動リング接続点６２１は、固定台接続点５２１に接続され、この２組の接続点によりループ回路の別のスイッチが構成される。
【００４１】
傘を閉じた状態では、受骨固定用摺動リング組立体６は下方へスライドし、ハンドル１４の上方に固定されて、親骨固定台組立体５と離れた開回路状態となり、全てのＬＥＤ発光源は通電せずに発光しない。これに対し、傘を開く使用開始状態では、受骨固定用摺動リング組立体６が上方へスライドして中軸１１の板ばね１１１上方に固定され、固定台接続点５２１、５２３がそれぞれ摺動リング接続点６２１、６２３と緊密に接合して完全な回路（閉回路）を形成する。そして、ボタンスイッチ１２を閉じた状態にすると、全てのＬＥＤ発光素子に電流が流れて発光状態となる。
【００４２】
図１１（ｂ）は、本発明の一体型発光部材を発光機能付き傘に適用した第２の実施例の別の回路図である。中間リング組立体６９には、受骨固定用摺動リング組立体６の回路に代わる回路導線６９２及びその回路接続点６９１、６９３が設けられる。傘を開き、受骨固定用摺動リング組立体６及び親骨固定台組立体５が中軸１１上で直接に接触することなく離れている時に、中間リング組立体６９が、親骨固定台組立体５の接続点と直接に接触することで完全な回路（閉回路）を形成する。傘を閉じる時には、中間リング組立体６９を引き下ろせば回路が開回路状態となる。
【００４３】
図１２（ａ）は、本発明の第２の実施例の細部構造を示す図である。図中の受骨固定用摺動リング組立体６及び親骨固定台組立体５は、どちらも本発明の一体型発光部材の実施例の一つであり、受骨固定用摺動リング組立体６及び親骨固定台組立体５のベースは、高い放熱材質の材料で構成されている。
【００４４】
受骨固定用摺動リング組立体６の摺動リング表面６６に溝を設け、受骨固定ピン１８１で受骨１８を固定する。受骨固定用摺動リング組立体６のベース上面に、摺動リング導線６０１と、回路スイッチとしての摺動リング接続点６２１、６２３とを設ける。摺動リング導線６０１及びその両端の摺動リング接続点６２１、６２３は、事前に組み立てられるか、或いは摺動リング上部環状面６６１上に直接組み付けられ、その後、透明材質を用いて摺動リングパッケージ６５を完成させる。
【００４５】
親骨固定台組立体５上の固定台ＬＥＤ組立体５１は、固定台ＬＥＤ組立体５１１、５１２、５１３に細分される。固定台ＬＥＤ組立体５１２、５１３は、傘布下方の固定台下部環状面５６２に設けられ、固定台ＬＥＤ組立体５１１は、傘布１０上方の固定台先端部環状面５６４に設けられる。固定台ＬＥＤ組立体５１のＬＥＤ発光素子４のそれぞれを、固定台導線５０１、５０２、５０３、５０４で固定台接続点５２１、５２２に接続する。固定台接続点５２３は、固定台電源線接続点３４１及び摺動リング接続点６２３に接続する１つの独立した接続点である。このようにすることによって、固定台ＬＥＤ組立体５１２、５１３の光を傘布１０の内面に投射し、固定台ＬＥＤ組立体５１１の光を周囲に投射することができる。
【００４６】
親骨固定台組立体５上のベースが上向きに延伸し、その延伸部が固定台上部環状面５６３をより高くするとともに固定台先端部環状面５６４を形成することで、親骨固定台組立体５が、石突１６の代わりとしてそれと同様の機能を有するようになる。固定台ＬＥＤ組立体５１は、事前に組み立てられるか、或いは固定台表面５６上に直接組み付けられ、その後、透明材質を用いて、傘内の固定台ＬＥＤ組立体パッケージ５５１及び傘先端部の固定台ＬＥＤ組立体パッケージ５５２に分かれた固定台ＬＥＤ組立体パッケージ５５を完成させる。
【００４７】
図１２（ｂ）は、本発明の一体型発光部材を発光機能付き傘に適用した第２の実施例における別の細部構造を示す図である。受骨固定用摺動リング組立体６及び親骨固定台組立体５は、中軸１１上で直接に接触することなく離れており、この間に受骨固定用摺動リング組立体６の回路の代わりとなり、かつ中軸１１に沿って上下にスライド可能な中間リング組立体６９を設ける。中間リング組立体６９のベースは、どれも高い放熱性質を有する材料からなる。中間リング面６９６には、回路導線６９２及びその回路接続点６９１、６９３を設け、回路は保護パッケージ６９５により保護される。傘を開く時は、使用者が中間リング組立体６９を押し上げ、板ばね１１３で中間リング組立体６９を親骨固定台組立体５と密接させるように付勢し、中間リング組立体６９を親骨固定台組立体５の接続点と直接に接続させて完全な回路（閉回路）を形成する。傘を閉じる時には、板ばね１１３を弛め、中間リング組立体６９を引き下ろすと回路が開回路状態となる。
【００４８】
図１３は、本発明の第２の実施例における親骨固定台組立体５の細部構造を示す立体図である。ＬＥＤ発光素子４を２つの環状面に配置するとともに接続点５２１、５２３の相対位置を同時に考慮することで、投射される光が傘布内部の各方面及び傘布上方を照明できる。発光素子の数及び投射角度は、必要に応じて調整されることができる。
【００４９】
親骨固定台組立体５の固定台ＬＥＤ組立体５１の実際の取り付けについて説明する。固定台ＬＥＤ組立体５１１の両端は、固定台導線５０２、５０３であり、固定台導線５０２、５０３は、固定台先端部環状面５６４から固定台導線溝５８３を経由し、固定台導線挿通孔５９２を貫通して固定台下部環状面５６２に至る。固定台導線５０３を固定台ＬＥＤ組立体５１２に接続し、固定台導線５０２を固定台接続点５２２に接続する。電源線１３２を、中軸１１上の孔及び固定台導線挿通孔５９１を貫通させて、固定台電源線接続点３４２（図示せず）にはんだ付けする。
【００５０】
固定台ＬＥＤ組立体５１２、５１３は、固定台導線５０４を介して直列に接続され、固定台接続点５２１に接続される。固定台接続点５２３は独立した１つの接続点であり、電源線１３１は、中軸１１の中央孔を経由して中軸１１の壁面孔（図示せず）を貫通し、固定台電源線接続点３４１において固定台接続点５２３と直接に接続される。親骨固定台組立体５のベースは良好な熱伝導係数を有するうえ、固定台上面５６１、固定台下部環状面５６２、固定台上部環状面５６３及び固定台先端部環状面５６４を含む固定台表面５６並びにその上に設けられた溝も放熱能力を有しているので、固定台ＬＥＤ組立体５１の熱量はこれらの表面を介して放出されて、透明パッケージ発光半導体４１の温度が低下する。固定孔５９３は、親骨固定台組立体５を中軸１１上に固定するためのものである。
【００５１】
図１４は、本発明の第２の実施例における受骨固定用摺動リング組立体６の細部構造を示す立体図である。本図面では、受骨固定用摺動リング組立体６の細部構造を具体的に説明しており、摺動リング中部環状面６８２に、受骨１８の端部を固定するための摺動リング環状溝６８、摺動リング径方向溝６８１、６８２を設けている。また、摺動リング導線６０１及びその両端部の摺動リング接続点６２１、６２３を設けている。そして、中軸１１が摺動リング中軸孔６７を貫通することで、受骨固定用摺動リング組立体６は、中軸１１をスムースに上下にスライド可能である。
【実施例３】
【００５２】
図１５（ａ）は、本発明の一体型発光部材を発光機能付き傘に適用した第３の実施例の構造図である。傘１は、傘布１０、中軸１１、板ばね１１１、ボタンスイッチ１２、電源線１３、ハンドル１４、電池１５、石突１６、親骨１７、受骨１８、受骨固定用摺動リング組立体（下ろくろ）８、親骨固定台組立体（上ろくろ）７及びハンドル１４下方のハンドル部発光組立体９等の部材からなる。そこでは、中軸１１に板ばね１１１、ボタンスイッチ１２を設け、中軸１１の中空部に電源線１３を配設し、中軸１１先端部に石突１６を設け、中軸１１の下端部にハンドル１４、電池１５及びハンドル部発光組立体９等の部材を設ける。中軸１１の上端部に受骨固定用摺動リング組立体８、親骨固定台組立体７を設けるとともに、電源線１３又は発光体の導線を貫通させて接続するための穿孔（図示せず）を設ける。親骨１７と受骨１８とを互いに枢軸で連結し、それぞれを枢軸で親骨固定台組立体７又は受骨固定用摺動リング組立体８に固定し、傘布１０を親骨１７に固定する。中軸１１上を上下にスライドする受骨固定用摺動リング組立体８を介して傘を開閉することができる。傘を開くと、受骨固定用摺動リング組立体８が板ばね１１１によって係止されて、傘を開放状態に固定することができる。受骨固定用摺動リング組立体８及び親骨固定台組立体７は、一組の回路作動スイッチを形成しており、この時に、受骨固定用摺動リング組立体８及び親骨固定台組立体７上の回路接続点が接触する。そして、ボタンスイッチ１２を閉じた状態にすると、回路が導通して回路上のＬＥＤ発光素子が光を発する。また、傘を長時間にわたって固定位置で使用する場合には、電源を外部電源とすることができる。
【００５３】
図１５（ｂ）は、本発明の一体型発光部材を発光機能付き傘に適用した第３の実施例の別の構造図である。受骨固定用摺動リング組立体８及び親骨固定台組立体７は、中軸１１上で直接に接触することなく離れており、その間の中軸１１上に、中間リング組立体７９が固定して設けられる。中間リング組立体７９に、親骨固定台組立体７の回路に代わる回路導線及びその接続点を設け、受骨固定用摺動リング組立体８の接続点と直接に接触させることで完全な回路を構成することができる。傘を開く時、使用者は、受骨固定用摺動リング組立体８を押し上げ、板ばね１１１で受骨固定用摺動リング組立体８を中間リング組立体７９と密接させるように付勢し、その接続点を直接に接触させて完全な回路（閉回路）を形成する。傘を閉じる時には、板ばね１１１を弛め、受骨固定用摺動リング組立体８を引き下ろすと回路が開回路状態となる。
【００５４】
図１６（ａ）は、本発明の第３の実施例の回路図であり、本回路図は発光素子と傘部材との関係を説明している。本回路図上の電気素子は、必要とされる電気的絶縁性及び電気的安全性を有している。２芯の電源線１３は、電源線１３１、１３２からなり、これはボタンスイッチ１２、電池１５、受骨固定用摺動リング組立体８及び親骨固定台組立体７を接続する回路を形成する。ハンドル１４下方のハンドル部発光組立体９の電源線１３の分岐並列回路は、電源線１３３、１３４によって回路として接続される。電源線１３の分岐並列回路は、ハンドルのハンドル部発光組立体９を接続するための回路固定接続点９２１、９２２を有する。
【００５５】
親骨固定台組立体７の回路は、２つの独立した固定台接続点７２１、７２２を有し、電源線１３１の固定台電源線接続点３４１及び電源線１３２の固定台電源線接続点３４２が、それぞれ前記独立した固定台接続点７２１、７２２と接続する。さらに、固定台接続点７２１、７２２は、それぞれ摺動リング接続点８２１、８２２と接続して、電気回路のスイッチを形成する。
【００５６】
摺動リングＬＥＤ組立体８１は、摺動リングＬＥＤ組立体８１１、８１２、８１３を直列に接続してなり、各ＬＥＤ発光素子４はそれぞれ摺動リング導線８０１、８０２、８０３、８０４により接続され、そのＬＥＤ発光素子４は並列回路によりＬＥＤ組立体８１１、８１２、８１３を形成する。摺動リング導線８０１の端部は摺動リング接続点８２１であり、摺動リング導線８０２の端部は摺動リング接続点８２２であり、それぞれ固定台接続点７２１、７２２と接続して電気回路を形成する。
【００５７】
傘を閉じた状態では、受骨固定用摺動リング組立体８は下方へスライドしてハンドル１４の上方に固定されるとともに、親骨固定台組立体７と離れて開回路状態となる。この時、全てのＬＥＤ発光源は通電せず発光しない。これに対し、傘を開く使用開始状態では、受骨固定用摺動リング組立体８が上方へスライドして中軸１１の板ばね１１１で固定されると、固定台接続点７２１、７２２が、それぞれ摺動リング接続点８２１、８２２と緊密に接合して完全な回路（閉回路）を形成する。そして、ボタンスイッチ１２を閉じた状態とすると、全てのＬＥＤ発光素子に電流が流れて発光状態となる。
【００５８】
図１６（ｂ）は、本発明の一体型発光部材を発光機能付き傘に適用した第３の実施例における別の回路図である。受骨固定用摺動リング組立体８及び親骨固定台組立体７は、中軸１１上で直接に接触することなく離れており、その間の中軸１１上に、固定された部材である中間リング組立体７９を設ける。中間リング組立体７９に、電源線１３１の電源線接続点７９３及び電源線１３２の電源線接続点７９４のそれぞれと接続する独立した２つの回路接続点７９１、７９２を設け、親骨固定台組立体７の回路に代わる電気回路を形成する。そして、中間リング組立体７９を受骨固定用摺動リング組立体８の接続点と直接に接続させて、回路接続点７９１、７９２をそれぞれ摺動リング接続点８２１、８２２に接続することで、完全な回路（閉回路）を形成することができる。傘を閉じる時には、受骨固定用摺動リング組立体８を引き下ろすと回路が開回路状態となる。
【００５９】
図１７（ａ）は、本発明の第３の実施例の細部構造を示す図である。図中の受骨固定用摺動リング組立体８及び親骨固定台組立体７は、どちらも本発明の一体型発光部材の実施例の一つであり、受骨固定用摺動リング組立体８及び親骨固定台組立体７のベースは、高い放熱材質の材料で構成されている。
【００６０】
親骨固定台組立体７の固定台表面７６に溝を設け、親骨固定ピン１７１で親骨１７を固定する。親骨固定台組立体７のベース上面に、固定台接続点７２１、７２２を設け、電源線１３１の固定台電源線接続点３４１及び電源線１３２の固定台電源線接続点３４２を固定台接続点７２１、７２２に接続する。固定台接続点７２１、７２２は、回路作動スイッチとして用いられる。固定台接続点７２１、７２２が固定台下部環状面７６４に直接組み付けられた後、透明材質を用いて摺動リングＬＥＤ組立体パッケージ７５を形成する。中軸１１の先端は石突１６によって密封され、傘布１０を親骨固定台組立体７に固定するとともに、傘布固定カバー１０１と石突１６とを結合して密封することで、雨が傘内部に流入するのを防いでいる。
【００６１】
受骨固定用摺動リング組立体８上の摺動リング表面８６に溝を設け、受骨固定ピン１８１で受骨１８を固定する。摺動リングＬＥＤ組立体８１は、摺動リング下部環状面８６３に設けられる摺動リングＬＥＤ組立体８１１、８１２と、傘布下方の摺動リング上部環状面８６１に設けられる摺動リングＬＥＤ組立体８１３とに細分される。摺動リングＬＥＤ組立体８１のＬＥＤ発光素子４は、摺動リング導線８０１、８０２、８０３、８０４に接続される。これらは、固定台接続点７２１、７２２に接続する摺動リング接続点８２１、８２２にそれぞれ接続される。これによって、摺動リングＬＥＤ組立体８１３の光源は傘布１０の内面に投射され、摺動リングＬＥＤ組立体８１１、８１２の光源の一部は傘布１０の内面に投射され、それ以外の光源は傘の下方周囲に投射される。
【００６２】
摺動リングＬＥＤ組立体８１が事前に組み立てられるか、或いは摺動リング表面８６１、８６３に直接組み付けられた後に透明材質を用いることで、摺動リング表面８６１上の摺動リングＬＥＤ組立体パッケージ８５１と摺動リング表面８６３上の摺動リングＬＥＤ組立体パッケージ８５２とに分かれた摺動リングＬＥＤ組立体パッケージ８５を完成する。受骨固定用摺動リング組立体８のベースは、優れた熱伝導係数を有しているうえ、摺動リング表面８６は、摺動リング表面８６１、８６２、８６３、８６４を有し、かつ、その上に設けられる溝が放熱能力を有しているため、摺動リングＬＥＤ組立体８１の熱量は、これらの表面を介して放出されて、透明パッケージ発光半導体４１の温度が低下する。
【００６３】
図１７（ｂ）は、本発明の第３の実施例における別の細部構造を示す図である。受骨固定用摺動リング組立体８及び親骨固定台組立体７は、中軸１１上で直接に接触することなく離れており、その間の中軸１１上に、中間リング組立体７９が固定して設けられる。そのベースは高い放熱性質の材料からなり、その中間リング面７９６上に、電源線１３１の固定台電源線接続点７９３及び電源線１３２の固定台電源線接続点７９４と接続する２つの独立した回路接続点７９１、７９２を設け、保護パッケージ７９５で保護する。親骨固定台組立体７の回路に代わる電気回路を中間リング組立体７９に形成し、回路接続点７９１、７９２が、それぞれ摺動リング接続点８２１、８２２に接続する。傘を開く時、使用者は、受骨固定用摺動リング組立体８を中軸１１に沿って押し上げ、板ばね１１１で受骨固定用摺動リング組立体８を中間リング組立体７９と密接させるように付勢して、その接続点を直接に接触させて完全な回路（閉回路）を形成する。傘を閉じる時には、板ばね１１１を弛め、受骨固定用摺動リング組立体８を引き下ろすと回路が開回路状態となる。
【００６４】
図１８は、本発明の第３の実施例の細部構造を示す立体図である。ＬＥＤ発光素子４を２つの環状面である摺動リング上部環状面８６１及び摺動リング下部環状面８６３上に配置するとともに、接続点８２１、８２２の相対位置を同時に考慮することで、投射される光が傘布内部の各方面及び傘布１０の下方の周囲を照明することができる。発光素子の数及び投射角度は、必要に応じて調整されることができる。
【００６５】
受骨固定用摺動リング組立体８の摺動リングＬＥＤ組立体８１の実際の取り付けについて説明する。摺動リング上部環状面８６１に位置する摺動リング導線８０２、８０４は、摺動リング導線孔（図示せず）を経由して摺動リング下部環状面８６３に至る。摺動リング接続点８２１を、摺動リングＬＥＤ組立体８１３の摺動リング導線８０１と接続する。摺動リング接続点８２２を、摺動リングＬＥＤ組立体８１１の摺動リング導線８０２と接続する。摺動リング導線８０４で、摺動リングＬＥＤ組立体８１２、８１３を直列に接続し、摺動リング導線８０３で、摺動リングＬＥＤ組立体８１１、８１２を直列に接続する。
【００６６】
摺動リング中部環状面８６２に、受骨１８の端部を固定するための摺動リング環状溝８８、摺動リング径方向溝８８１、８８２を設けている。これらの溝は、放熱フィンの放熱能力を有しているため、摺動リングＬＥＤ組立体８１の熱量はこれらの表面を介して放出される。さらに、摺動リング把持部環状面８６４も枠外での放熱面積を与えることができるので、透明パッケージ発光半導体４１の温度が効果的に低下する。
【００６７】
親骨固定台組立体７には、固定台接続点７２１、７２２の２つの独立した接続点がある。電源線１３１は、中軸１１の中央孔から中軸１１の壁面孔（図示せず）を貫通し、固定台電源線接続点３４１において摺動リング接続点７２１と直接に接続される。電源線１３２は、中軸１１の中央孔から中軸１１の壁面孔（図示せず）を貫通し、固定台電源線接続点３４２において摺動リング接続点７２２と直接に接続される。固定孔７９１は、親骨固定台組立体７を中軸１１上に固定するためのものである。
【実施例４】
【００６８】
図１９は、本発明の一体型発光部材を発光機能付き傘に適用した第４の実施例の構造図である。傘１は、傘布１０、中軸１１、板ばね１１２、電源線１３、ハンドル１４、電池１５１、石突１６１、親骨１７、受骨１８等の部材からなり、受骨固定用摺動リング組立体２及び親骨固定台組立体３の２つの部材は、一体型発光部材である。前記傘の構造は、中軸１１に板ばね１１２を設け、中軸１１の下端部にハンドル１４等の部材を設け、中軸１１の上端部に受骨固定用摺動リング組立体２を設け、親骨固定台組立体３の先端部に中空の石突１６１を設けて電池１５１を収納する。中軸１１には、電源線１３（図示せず）又は発光体の導線を通して接続するための穿孔（図示せず）を設ける。親骨１７と受骨１８とを互いに枢軸で連結して、それぞれを枢軸で親骨固定台組立体３又は受骨固定用摺動リング組立体２に固定し、傘布１０を親骨１７に固定する。中軸１１上を上下にスライドする受骨固定用摺動リング組立体２を介して傘を開閉することができる。受骨固定用摺動リング組立体２及び親骨固定台組立体３は、一組の回路作動スイッチを形成する。傘を開き、受骨固定用摺動リング組立体２が板ばね１１２の閉回路位置１１２２（図示せず）に係止されて傘を開放状態とすると、回路作動スイッチが閉回路状態になって、回路上のＬＥＤ発光素子が光を発して受骨固定用摺動リング組立体２及び親骨固定台組立体３のＬＥＤ発光素子が傘布１０の内面を照明する。しかし、傘が開かれても、受骨固定用摺動リング組立体２が、板ばね１１２の開回路位置１１２１（図示せず）に係止された状態で傘が開かれているときは、回路作動スイッチは開回路状態になり、回路上のＬＥＤ発光素子は光を発しない。また、傘を長時間にわたって固定位置で使用する場合には、電源を外部電源とすることができる。
【００６９】
図２０は、本発明の第４の実施例の回路図であり、本回路図はＬＥＤ発光素子４を実装する際に必要な電気回路を説明している。なお、本回路図上の電気素子は必要とされる電気的絶縁性及び電気的安全性を有している。２芯の電源線１３は、電源線１３１、１３２からなり、これは電池１５、受骨固定用摺動リング組立体２及び親骨固定台組立体３等の部材を接続する回路を形成する。
【００７０】
摺動リングＬＥＤ組立体２１は、摺動リングＬＥＤ組立体２１１、２１２を直列に接続してなり、その間及び両端に、摺動リング導線２０１、２０２、２０３をそれぞれ接続する。摺動リングＬＥＤ組立体２１１、２１２は、それぞれＬＥＤ発光素子４を並列回路で接続してなる。摺動リング導線２０２の端部は摺動リング接続点２２であり、摺動リング導線２０１の端部は摺動リング接続点２３であり、それぞれ固定台接続点３２、３３に接続されてループ回路を形成する。
【００７１】
固定台ＬＥＤ組立体３１は、固定台導線３０１、３０３にそれぞれのＬＥＤ発光素子４を並列に接続してなる。固定台導線３０３の端部は固定台接続点３３であり、固定台導線３０１の端部は電源線１３１に接続される固定台電源線接続点３４１である。固定台導線３０２は、１本の独立した導線で、その一端は電源線１３２に接続される固定台電源線接続点３４２であり、他端は固定台接続点３２に接続される。
【００７２】
傘を閉じた状態では、受骨固定用摺動リング組立体２は下方へスライドしてハンドル１４の上方に固定され、親骨固定台組立体３と離れて開回路状態となる。この時、全てのＬＥＤ発光源は、通電せずに発光しない。
【００７３】
傘を開く使用開始状態において、受骨固定用摺動リング組立体２が上方へスライドして中軸１１の板ばね１１２上方の開回路位置１１２１に固定されると、固定台接続点３２、３３はそれぞれ、摺動リング接続点２２、２３と互いに距離を保ち接合しない。そのため、電気回路は開回路状態を維持し、全てのＬＥＤ発光素子は、回路が通電しないため発光状態とならない。
【００７４】
傘を開く使用開始状態において、受骨固定用摺動リング組立体２が上方へスライドして中軸１１の板ばね１１２上方の閉回路位置１１２２に固定されると、固定台接続点３２、３３はそれぞれ、摺動リング接続点２２、２３と緊密に接合して閉回路を形成し、全てのＬＥＤ発光素子に電流が流れて発光状態となる。
【００７５】
図２１（ａ）及び図２１（ｂ）は、本発明の第４の実施例の細部構造を示す図である。図中の受骨固定用摺動リング組立体２及び親骨固定台組立体３は、どちらも本発明の一体型発光部材の実施例の一つである。受骨固定用摺動リング組立体２及び親骨固定台組立体３のベースは、高放熱材質の材料で構成されている。
【００７６】
受骨固定用摺動リング組立体２の摺動リング表面２６に複数の溝を設け、受骨固定ピン１８１で受骨１８を固定する。そして、摺動リング上部環状面２６４（図示せず）に、摺動リングＬＥＤ組立体２１を設けるとともに、これを摺動リングＬＥＤ組立体２１１と摺動リングＬＥＤ組立体２１２とに細分し、それぞれを摺動リング接続点２２、２３に接続する。摺動リングＬＥＤ組立体２１は、事前に組み立てられるか、或いはベース上で直接組み立てられた後、透明材質を用いて摺動リングＬＥＤ組立体パッケージ２５を完成させる。摺動リングＬＥＤ組立体２１の熱量は、良好な熱伝導率を有するベースを介して外部に伝達され、摺動リング表面２６及び複数の溝の表面を介して大気中に伝わるため、透明パッケージ発光半導体４１の温度を低下させることが可能となる。
【００７７】
親骨固定台組立体３の固定台表面３６に半径が異なる複数の環状面を設け、そのうちの１つの環状面に複数の溝を設けて、親骨固定ピン１７１を用いて親骨１７を固定する。親骨固定台組立体３を中軸１１の先端に固定する。親骨固定台組立体３の上方へ延伸する環状面である固定台上部環状面３６５は、傘布１０を貫通して傘布固定カバー１０２と結合して密封することで、雨が傘内部に流入するのを防いでいる。中空の石突１６１は、親骨固定台組立体３の上向きの開口延伸部、つまり固定台上部環状面３６５の開口内に取り付けられ、その内部には電池１５１、電源線及び電池ホルダ１５２が取り付けられる。電池ホルダ１５２には、電池の正負極を直列に接続するとともに、固定台電源線接続点３４１、３４２に接続するための電池の正負極接続点を設ける。また、中空の石突１６１の内部に、電池が動かないように安定して固定するための固定ばね１６２を設ける。固定台下部環状面３６２（図示せず）に、固定台接続点３２、３３が接続される固定台ＬＥＤ組立体３１を設ける。固定台ＬＥＤ組立体３１が事前に組み立てられるか、或いはベース上で直接組み立てられた後、透明材質を用いて固定台ＬＥＤ組立体パッケージ３５を完成させる。また、固定台ＬＥＤ組立体３１を電源線１３１、１３２に接続する部分は、それぞれ固定台電源線接続点３４１、３４２を有し、このような接続を構成する回路が導線３０１、３０２により完成される。導線３０１、３０２は、ベースである中軸１１の孔（図示せず）を貫通し、中軸１１の先端部においてそれぞれ電源線１３１、１３２（図示せず）にはんだ付けされて、固定台電源線接続点３４１、３４２が形成される。親骨固定台組立体３のベースは、良好な熱伝導係数を有するうえに、固定台表面３６とその溝も放熱能力を有しているので、固定台ＬＥＤ組立体３１の熱量はこれらの表面を介して放出されて、透明パッケージ発光半導体４１の温度が低下する。
【００７８】
図２１（ａ）では、傘を開く使用開始状態において、受骨固定用摺動リング組立体２は、上方へスライドして中軸１１の板ばね１１２上方において、その摺動リングばね溝２８３により、板ばね１１２の開回路位置１１２１に位置決めされる。この時、固定台接続点３２、３３は、それぞれ摺動リング接続点２２、２３と接合しない程度に近接し、電気回路が開回路状態を維持するので、全てのＬＥＤ発光素子は、回路が通電しないために発光しない状態のままとなる。また、図２１（ｂ）では、傘を開く使用開始状態において、受骨固定用摺動リング組立体２は、上方へスライドして中軸１１の板ばね１１２上方において、摺動リングばね溝２８３により、板ばね１１２の閉回路位置１１２２に位置決めされる。この時、固定台接続点３２、３３は、それぞれ摺動リング接続点２２、２３と緊密に接合して閉回路を形成し、全てのＬＥＤ発光素子に電流が流れて発光状態となる。本実施例は、摺動リングばね溝２８３と板ばね１１２との係合位置を調節することで、昼間に傘を使用する時に電力を浪費することがない。そのため、雨天時の日中における使用に非常に適している。さらに、ボタンスイッチ１２及び長い電源線１３の取り付けを省くことができ、引例６及び引例９のようにスイッチを別途に取り付ける必要性がない。
【００７９】
上記を総合し、以上の複数の実施例から、本発明の一体型発光部材が、設計の多様性と自由度を有し、かつ従来の技術上の問題を大幅に改善できることが分かる。さらに、ここには開示していないが、この他にも実現可能な実施例が多く存在する。また、一体型発光部材は、ＬＥＤ発光素子の取り付けにおいて高い自由度を有し、傘の発光機能に警告効果を提供するほか、半透明傘布とカラーＬＥＤ発光素子を組み合わせることで、色彩による美観性装飾の芸術性を更に高めることがでる。また、高い放熱性能をもつ傘部材をベースとすることで、高輝度ＬＥＤ発光素子の使用に適し、設計者及び使用者の要求を満たすことが容易となる。
【符号の説明】
【００８０】
１        発光機能付き傘
１０      傘布
１０１    傘布固定カバー
１１      中軸
１１１    板ばね
１１２    板ばね
１１２１  板ばねの開回路位置
１１２２  板ばねの閉回路位置
１１３    板ばね
１２      ボタンスイッチ
１３      電源線
１３１    電源線
１３２    電源線
１３３    電源線
１３４    電源線
１４      ハンドル
１５      電池
１５１    電池
１５２    電池ホルダ
１６      石突
１６１    石突
１６２    ばね
１７      親骨
１７１    親骨固定ピン
１８      受骨
１８１    受骨固定ピン
２        受骨固定用摺動リング組立体（下ろくろ）
２０１    摺動リング導線
２０２    摺動リング導線
２０３    摺動リング導線
２１      摺動リングＬＥＤ組立体
２１１    摺動リングＬＥＤ組立体
２１２    摺動リングＬＥＤ組立体
２２      摺動リング接続点
２３      摺動リング接続点
２５      摺動リングＬＥＤ組立体の透明パッケージ
２６      摺動リング表面
２６２    摺動リング下部環状面
２６３    摺動リング中部環状面
２６４    摺動リング上部環状面
２６５    摺動リング把持部環状面
２６６    摺動リング上部環状面のＬＥＤ基板接合面
２７      受骨固定用摺動リング組立体の中軸孔
２８      受骨固定用摺動リング組立体の環状溝
２８１    受骨固定用摺動リング組立体の径方向溝
２８２    受骨固定用摺動リング組立体の径方向溝
２８３    摺動リングばね溝
３        親骨固定台組立体（上ろくろ）
３０１    固定台導線
３０２    固定台導線
３０３    固定台導線
３１      固定台ＬＥＤ組立体
３２      固定台接続点
３３      固定台接続点
３４１    固定台電源線接続点
３４２    固定台電源線接続点
３５      固定台ＬＥＤ組立体の透明パッケージ
３６      固定台表面
３６１    固定台上面
３６２    固定台下部環状面
３６３    固定台中部環状面
３６４    固定台上部環状面
３６５    固定台上部環状面
３７      親骨固定台組立体の中軸孔
３８      親骨固定台組立体の環状溝
３８１    親骨固定台組立体の径方向溝
３８２    親骨固定台組立体の径方向溝
３８３    親骨固定台組立体の導線溝
３８４    親骨固定台組立体の導線溝
３９１    固定台及び中軸の固定孔
３９２    親骨固定台組立体の導線孔
３９３    親骨固定台組立体の導線孔
４        ＬＥＤ発光素子
４１      透明パッケージ発光半導体
４２      電源接続点
４３      電源接続点
４４      ＬＥＤ基板
４４１    ＬＥＤ基板底面
５        親骨固定台組立体（上ろくろ）
５０１    固定台導線
５０２    固定台導線
５０３    固定台導線
５０４    固定台導線
５１      固定台ＬＥＤ組立体
５１１    固定台ＬＥＤ組立体
５１２    固定台ＬＥＤ組立体
５１３    固定台ＬＥＤ組立体
５２１    固定台接続点
５２２    固定台接続点
５２３    固定台接続点
５５１    固定台ＬＥＤ組立体の透明パッケージ
５５２    固定台ＬＥＤ組立体の透明パッケージ
５６１    固定台上面
５６２    固定台下部環状面
５６３    固定台上部環状面
５６４    固定台先端部環状面
５６５    固定台中部環状面
５８      親骨固定台組立体の環状溝
５８１    親骨固定台組立体の径方向溝
５８２    親骨固定台組立体の径方向溝
５８３    固定台導線溝
５９１    固定台導線挿通孔
５９２    固定台導線挿通孔
６        受骨固定用摺動リング組立体（下ろくろ）
６０１    摺動リング導線
６２１    摺動リング接続点
６２３    摺動リング接続点
６５      摺動リングの透明パッケージ
６６１    摺動リング上部環状面
６６２    摺動リング中部環状面
６６３    摺動リング下部環状面
６６４    摺動リング把持部環状面
６７      摺動リング中軸孔
６８      摺動リング環状溝
６８１    摺動リング径方向溝
６８２    摺動リング径方向溝
６９      中間リング組立体
６９１    回路接続点
６９２    回路導線
６９３    回路接続点
６９５    保護パッケージ
６９６    中間リング面
７        親骨固定台組立体（上ろくろ）
７２１    固定台接続点
７２２    固定台接続点
７５      固定台ＬＥＤ組立体の透明パッケージ
７６１    固定台上面
７６２    固定台上部環状面
７６３    固定台中部環状面
７６４    固定台下部環状面
７８      親骨固定台組立体の環状溝
７８１    親骨固定台組立体の径方向溝
７８２    親骨固定台組立体の径方向溝
７９      中間リング組立体
７９１    回路接続点
７９２    回路接続点
７９３    電源線接続点
７９４    電源線接続点
７９５    保護パッケージ
７９６    中間リング面
８        受骨固定用摺動リング組立体（下ろくろ）
８０１    摺動リング導線
８０２    摺動リング導線
８０３    摺動リング導線
８０４    摺動リング導線
８１      摺動リングＬＥＤ組立体
８１１    摺動リングＬＥＤ組立体
８１２    摺動リングＬＥＤ組立体
８１３    摺動リングＬＥＤ組立体
８２１    摺動リング接続点
８２２    摺動リング接続点
８５１    摺動リングＬＥＤ組立体の透明パッケージ
８５２    摺動リングＬＥＤ組立体の透明パッケージ
８６１    摺動リング上部環状面
８６２    摺動リング中部環状面
８６３    摺動リング下部環状面
８６４    摺動リング把持部環状面
８８      摺動リング環状溝
８８１    摺動リング径方向溝
８８２    摺動リング径方向溝
９        ハンドル部発光組立体
９１      ＬＥＤ組立体
９２１    回路固定接続点
９２２    回路固定接続点
９４      放熱フィン
９５      ＬＥＤ組立体の透明パッケージ
９６１    スレッド付き上部表面
９６２    下部環状面
９７      中央孔
【図１】
2011229913.tif 000003
【図２】
2011229913.tif 000004
【図３】
2011229913.tif 000005
【図４（ａ）】
2011229913.tif 000006
【図４（ｂ）】
2011229913.tif 000007
【図５】
2011229913.tif 000008
【図６】
2011229913.tif 000009
【図７（ａ）】
2011229913.tif 000010
【図７（ｂ）】
2011229913.tif 000011
【図８】
2011229913.tif 000012
【図９】
2011229913.tif 000013
【図１０（ａ）】
2011229913.tif 000014
【図１０（ｂ）】
2011229913.tif 000015
【図１１（ａ）】
2011229913.tif 000016
【図１１（ｂ）】
2011229913.tif 000017
【図１２（ａ）】
2011229913.tif 000018
【図１２（ｂ）】
2011229913.tif 000019
【図１３】
2011229913.tif 000020
【図１４】
2011229913.tif 000021
【図１５（ａ）】
2011229913.tif 000022
【図１５（ｂ）】
2011229913.tif 000023
【図１６（ａ）】
2011229913.tif 000024
【図１６（ｂ）】
2011229913.tif 000025
【図１７（ａ）】
2011229913.tif 000026
【図１７（ｂ）】
2011229913.tif 000027
【図１８】
2011229913.tif 000028
【図１９】
2011229913.tif 000029
【図２０】
2011229913.tif 000030
【図２１（ａ）】
2011229913.tif 000031
【図２１（ｂ）】
2011229913.tif 000032